(57)【特許請求の範囲】
【請求項１】
基台に回動可能に取り付けられたアームと、前記アームと係合可能な係合部とを備え、前記基台及び係合部には、扉枠、又は当該扉枠に設けられる扉に固定具によって取り付けるための孔部を有するドアガードであって、前記アームが前記扉の表面に沿って配置された状態において、
前記基台と前記係合部のいずれか一方の前記孔部は、長孔であって、その長径側が前記アームの軸線方向に沿って形成され、
前記基台は、前記係合部の突起に対向し、前記アームの軸線方向と直交する方向に延びるように立設され、前記扉枠の局部変形時に前記アームが接触する立壁片を有していることを特徴とするドアガード。
【請求項２】
前記長孔の長径側は、少なくとも前記扉枠と前記扉との間のクリアランスから当該クリ
アランスと同一方向における前記係合部と該立壁片のクリアランスを減算した長さ分前記
基台又は前記係合部を移動させる長さを有していることを特徴とする請求項１に記載のド
アガード。
【請求項３】
基台に回動可能に取り付けられたアームと、前記アームと係合可能な係合部と、前記扉枠の局部変形時に前記係合部が接触する接触部と、を備え、
前記基台及び係合部には、扉枠、又は当該扉枠に設けられる扉に固定具によって取り付けるための孔部を有するドアガードにおいて、
前記基台と前記係合部のいずれか一方の前記孔部は、長孔であって、前記アームが扉の表面に沿って配置された状態において、その長径側が前記アームの軸線方向に沿って形成され、
前記固定具の頭部の裏面に対向する前記固定具の取付面から前記基台又は前記係合部の下面までの深さは、前記長径側の一端のほうが前記長径側の他端よりも浅いことを特徴とするドアガード。
【請求項４】
前記固定具の取付面は、同一平面状に存在することを特徴とする請求項３に記載のドアガード。
【請求項５】
前記固定具の取付面は、段差を有して形成されていることを特徴とする請求項３に記載のドアガード。
【請求項６】
前記長孔の長径側は、少なくとも前記扉枠と前記扉との間のクリアランスから当該クリ
アランスと同一方向における前記係合部と接触部のクリアランスを減算した長さ分前記
基台又は前記係合部を移動させる長さを有していることを特徴とする請求項３に記載のド
アガード。
【発明の詳細な説明】
【技術分野】
【０００１】
本願は、ドアガードに関し、特に、地震等により発生する扉の変形に対応可能なドアガードの技術分野に関する。
【背景技術】
【０００２】
建物の玄関等に取り付けられる扉には、通常、防犯上の目的でドアガードが取り付けられている。このドアガードには様々な構造のものが知られているが、一般に知られているドアガードは、扉に枢軸を介して回動可能に連結されたアームと、扉枠に固定された突起と、を備えている。アームには、閉扉状態でのアームの回動動作に伴い当該突起に挿脱する挿脱孔と、開扉時に突起をストップ位置まで案内する案内溝とが設けられている。そして、閉扉状態において、アームを起立させることにより、開扉時に当該扉の開き角度が制限可能になっている。
【０００３】
地震等が発生すると、当該地震による扉枠の変形に伴って、例えば、突起がアーム側に押し当てられ当該ドアガードの構成部品が変形し、アーム装着部と突起とが噛み合って外れなくなり、室内の人が建物内に閉じ込められる場合がある。
【０００４】
このような問題に対応する耐震用のドアガードは存在する（特許文献１、及び２参照）。
【０００５】
特許文献１の耐震用のドアガードは、アーム本体に段差部を設け、当該アーム本体が設けられているアーム装着部を、アームに係合する係合フックからその段差分だけ離間させるようになっており、地震などの影響でドアとドア枠とが接近したとしてもアーム装着部と係合フックとの噛合いが防止されるようになっている。
【０００６】
また、特許文献２の耐震用ドアガードは、アーム係止部材に弾持手段を備え、地震などの影響で扉枠と扉が上下に食い違った際にアーム係止部材を上側及び下側に一定角度揺動自在になっており、アーム係止部材が、当該アーム係止部材と係合するアームと噛み合って外れなくなることを防止するようになっている。
【０００７】
【特許文献１】特許第２８７６１１５号公報
【特許文献２】特開平９−２９１７４２号公報
【発明の開示】
【発明が解決しようとする課題】
【０００８】
しかしながら、特許文献１の耐震用のドアガードは、アームが大型化するとともに、ドアからの突出量が大きくなり、出入り時に当該アームに衣服が引っかかりやすくなるとともに意匠が悪くなるという問題点があった。
【０００９】
また、特許文献２の耐震用のドアガードは、一般に面内変形と称される扉枠の変形に際しては効果があるものの、局部変形と称される扉枠の変形に際してはさほど効果が得られない問題点があった。
【００１０】
従来のドアガードの形状を特に替えることなく、簡易な変更で、耐震用のドアガードとして機能できればコストの低減を図ることが可能であり便利である。
【００１１】
そこで、本発明は上記問題を課題の一例として為されたもので、特に、局部変形に対応可能なドアガードを提供することを目的とする。
【課題を解決するための手段】
【００１２】
上記課題を解決するために、請求項１に記載のドアガードは、基台（１２）に回動可能に取り付けられたアーム（１０）と、前記アームと係合可能な係合部（２０）とを備え、前記基台及び係合部には、扉枠（６）、又は当該扉枠に設けられる扉（４）に固定具（１６）によって取り付けるための孔部（２３ａ、３０）を有し、前記アームが前記扉の表面に沿って配置された状態において、前記基台と前記係合部のいずれか一方に形成された孔部は、長孔であって、その長径側が前記アームの軸線方向に沿って形成され、前記基台は、記係合部の突起に対向し、前記アームの軸線方向と直交する方向に延びるように立設され、前記扉枠の局部変形時に前記アームが接触する立壁片を有していることを特徴とする。
【００１３】
また、請求項２に記載のドアガードは、請求項１に記載のドアガードにおいて、前記長孔の長径側は、前記扉枠と前記扉との間の水平方向のクリアランス（Ｃ）から当該クリアランスと同一方向における前記係合部と接触部のクリアランス（Ｃ１）を減算した長さ分前記基台又は前記係合部を移動させる長さを有していることを特徴とする。
【００１５】
また、請求項３に記載のドアガードは、基台に回動可能に取り付けられたアームと、前記アームと係合可能な係合部と、前記扉枠の局部変形時に前記係合部が接触する接触部と、を備え、前記基台及び係合部には、扉枠、又は当該扉枠に設けられる扉に固定具によって取り付けるための孔部を有するドアガードにおいて、前記基台と前記係合部のいずれか一方の前記孔部は、長孔であって、前記アームが扉の表面に沿って配置された状態において、その長径側が前記アームの軸線方向に沿って形成され、前記固定具の頭部の裏面に対向する前記固定具の取付面から前記基台又は前記係合部の下面までの深さは、前記長径側の一端のほうが前記長径側の他端よりも浅いことを特徴とする。
【００１６】
また、請求項４に記載のドアガードは、請求項３に記載のドアガードにおいて、前記固定具の取付面は、同一平面状に存在することを特徴とする。
【００１７】
また、請求項５に記載のドアガードは、請求項３に記載のドアガードにおいて、前記固定具の取付面は、段差を有して形成されていることを特徴とする。
また、請求項６に記載のドアガードは、請求項３に記載のドアガードにおいて、前記長孔の長径側は、少なくとも前記扉枠と前記扉との間のクリアランスから当該クリアランスと同一方向における前記係合部と接触部のクリアランスを減算した長さ分前記基台又は前記係合部を移動させる長さを有していることを特徴とする。
【発明の効果】
【００１８】
本発明によれば、地震発生時において、局部変形による扉枠の変形によって係合部とアームが取り付けられる基台とが接近し、室内の人が建物内に閉じ込められるのを防止できる。
【発明を実施するための最良の形態】
【００１９】
以下、本発明の最良の実施形態について添付図面に基づいて説明する。
【００２０】
−ドアガードの構成等（第１実施形態）−
まず、図１乃至図５、及び図８を参照して、本実施形態におけるドアガードの構成について説明する。図１はドアガードの取付状態を示す平面図、図２はドアガードの正面図、図３はアームの構成図、図４は固定具が取り付けられた状態を示す基台の断面図、図５は固定具移動時の状態を示す基台の断面図、図６は他の実施形態における固定具が取り付けられた状態を示す基台の断面図、図７は他の実施形態における固定具移動時の状態を示す基台の断面図、図８は局部変形時の係合部とアームとの状態を示す一例である。なお、図４乃至図７は、図３のＡ−Ａ断面図である。
【００２１】
図１乃至図３に示すように、ドアガード２は、扉枠６、及び当該扉枠６に水平方向に所定のクリアランスＣを有して配置される外開き用の扉４に取り付けられている。このドアガード２は、扉４に取り付けられたアーム１０と、扉枠６に取り付けられ、当該アーム１０に係合する係合部２０と、を備えている。当該係合部２０は、扉枠６の内側に突出する突起２１を有して形成されており、当該突起２１の頭部２１ａは膨出して形成されている。
【００２２】
アーム１０は、基台１２に枢軸１５を介して図１中矢印に示すように回動可能に取り付けられており、当該基台１２は扉４の内表面上に止めネジなどの固定具１６によって固定されて取り付けられている。
【００２３】
このアーム１０は、図２に示すように、金属材料等により形成されたＵ字状の部材であり、平行に伸びる二本のレール１０ａ、１０ｂの一端が閉じられて形成されている。当該アーム１０は、二本のレール１０ａ、１０ｂが上下に配置され水平に延びるように扉４の内表面上に配置される。
【００２４】
基台１２は、図１乃至図３に示すように、基体１３と、その基体１３の上下に設けられる本願の接触部として機能する突出片１４と、を備えている。当該基体１３は、固定具１６を挿入するための孔部３０を有しており、当該孔部３０を介して扉４の内表面上に固定具１６によって取り付けられる。
【００２５】
突出片１４は、アーム１０を支持するための支持部と、その支持片の一端に曲折して設けられる曲折部と、を有している。上下それぞれの当該支持部には、同一軸線上に枢軸１５が設けられており、それぞれの枢軸１５には二本のレール１０ａ、１０ｂの他端が取り付けられている。これにより、アーム１０は、枢軸１５を支点として回動可能、すなわち、扉４の内表面上において起倒可能になっている。
【００２６】
また、基台１２とアーム１０との間には、図示しないが、クリックストップ機構がアーム１０の位置決めのために設けられている。これにより、アーム１０は、扉４に対して所定の角度ごとに複数の位置及び姿勢で停止可能になっている。
【００２７】
また、アーム１０には、閉扉状態でのアーム１０の回動により突起２１の頭部２１ａが挿脱する挿脱部１７と、開扉時に、当該突起２１をアーム１０の一端まで案内する上記挿脱部１７に連なる案内溝１８と、が設けられている。
【００２８】
この挿脱部１７は、アーム１０における二本のレール１０ａ、１０ｂの他端（開口）側に形成されている。具体的には、挿脱部１７は、対向して配置される二本のレール１０ａ、１０ｂの内側部分を曲折させることによって形成されており、アーム１０を起倒させることによって、この挿脱部１７に対し突起２１の頭部２１ａが出入り可能になっている。
【００２９】
また、案内溝１８は、アーム１０の二本のレール１０ａ、１０ｂ間に挿脱部１７からアーム１０の一端に向かって伸びるように形成され、挿脱部１７よりも小さい幅で形成されている。
【００３０】
一方、係合部２０は、図２に示すように、基台２３を備え、当該基台２３上に当該突起２１が設けられている。この基台２３は、孔部２３ａを有しており、当該孔部２３ａを介して扉枠６に止めネジなどの固定具２４によって固定されて取り付けられる。
【００３１】
また、突起２１は、閉扉状態において、扉枠６から扉４の内表面に沿うように突出して配置されている。当該突起２１の頭部２１ａは、挿脱部１７の開口よりも小さく形成されており、当該閉扉状態においてアーム１０を扉４の内表面上で起立させ又は倒すと、アーム１０の挿脱部１７に入り込み又は離脱する。また、頭部２１ａは案内溝１８の幅よりも大きく形成されている。
【００３２】
このようにして、本実施形態のドアガード２は、閉扉状態において、アーム１０を起立させることにより、突起２１が挿脱部１７に入り込み、その状態で扉４が開かれることで当該突起２１が案内溝１８に案内され、突起２１がアーム１０の一端と係合することにより当該扉４の開き角度が制限可能になっている。なお、突起２１が案内溝１８内に案内された後は、当該アーム１０の扉４上での倒動作は不能になっている。
【００３３】
また、本実施形態のドアガード２は、図８に示すように、例えば、地震発生時において局部変形によって扉枠６が変形することにより、基体１３に設けられた突出片１４に対して係合部２０の基台２３が押し当てられて当該係合部２０の構成部品が基台１２と噛合い、扉を開くことが不能になるのを防止するため、図８中矢印に示すように所定の方向から押圧力が加わり基体１３に設けられた突出片１４に係合部２０の基台２３が接触した際に、基台１２が係合部２０から離れる方向（図８中右方向）へ移動するようになっている。
【００３４】
具体的には、図２乃至図４に示すように、基台１２を扉４に固定するための固定具１６が挿入される孔部３０が、短径と長径とを含んで構成される長孔形状に形成されている。また、孔部３０は、アーム１０が扉４の表面に沿って配置された状態において、長径側がアーム１０の軸線方向に沿うように形成されており、その内側には固定具１６の頭部が接触し、当該固定具１６の取付面となる固定具受座３０ａが形成されている。この孔部３０は、局部変形によって扉枠６が変形し基体１３に設けられた突出片１４に対して係合部２０の基台２３が押し当てられた時に固定具１６が取付面を移動し、少なくとも基台１２を係合部２０から離れる方向へとずらすことが可能であればよい。そこで、本実施形態では、孔部３０は、その長径側が、扉枠６と扉４との間の水平方向のクリアランスＣ（実質的には８ｍｍ程度）に対応した長さに設定されており、基台１２を長径分ずらすことが可能となっている。これにより、局部変形時において、基台１２と係合部２０との噛合いを回避すべき基台１２の移動量を確保することができる。
【００３５】
なお、長径側の孔部３０の長さは、局部変形時において、係合部２０と基台１２の噛合いを回避できれば良いため、扉枠６と扉４との間の水平方向のクリアランスＣから局部変形時に接触する係合部２０の基台２３と基体１３に設けられた突出片１４の水平方向のクリアランスＣ１（図１参照）を減算した長さ分基台１２を移動させる長さを有していればよい。
【００３６】
このように構成されたドアガード２によれば、局部変形によって係合部２０の基台２３が基体１３に設けられた突出片１４（又はアーム１０）に接触しても、基台１２はその長径分だけ移動可能になっており、当該基台１２と係合部２０との噛合い等を十分に防止できる。
【００３７】
また、孔部３０は、図２及び図４に示すように、扉枠６側の前記孔部３０における長径側の一端の固定具受座３０ａの表面から下面までの深さＤ１が、前記長径側の他端の深さＤ２よりも浅く形成されている。この時の長径側の一端における固定具受座３０ａの表面と他端における固定具受座３０ａの表面とは、平行に配置されるようになっている。すなわち、固定具の取付面は、段差を有して形成されている。
【００３８】
そして、扉４に基台１２を取り付ける際には、図４に示すように、当該孔部３０の長径側の他端における固定具受座３０ａに固定具１６が取り付けられるようになっている。また、地震発生時には、係合部２０の基台２３が基体１３に設けられた突出片１４（又はアーム１０）に接触し更に基台１２を押圧することで、図５に示すように、基台１２が係合部２０から離れる方向（図２中右方向）に移動し、固定具１６が長径の一端側に配置されるようになっている。このとき、長径側の一端の深さＤ１は、他端の深さＤ２よりも浅くなっているため、固定具１６が移動しやすくなっているとともに、移動した後の固定具１６と固定具受座３０ａとの間には隙間Ｓが出来、当該基台１２にはガタが生じるようになっている。これにより、係合部２０の基台２３が基体１３に設けられた突出片１４（又はアーム１０）に接触していても摩擦力を低減し、基台１２と係合部２０とを噛合いにくくすることができる。
【００３９】
なお、図４及び図５に示すように、固定具受座３０ａに段差を形成する代わりに、図６及び図７に示すように、固定具受座３０ａを斜面に形成しても構わない。すなわち、固定具受座３０ａの長径側の一端の表面と他端の表面とは同一平面状に存在するようになっている。これにより、地震発生時に係合部２０が基台１２を押圧すると、図７に示すように、基台１２は係合部２０から離れる方向へと移動するとともに、固定具１６は長径の他端側から長径の一端側に移動する。よって、本実施形態のドアガード２は、固定具受座３０ａに段差を形成した場合と同様の効果を得ることが可能となる。
【００４０】
−ドアガードの動作−
次に、ドアガードの動作について図２、図４、図５、及び図８を用いて説明する。
【００４１】
まず、扉４に基台１２を取り付ける際には、図２及び図４に示すように、当該孔部３０の長径側の他端における固定具受座３０ａに固定具１６が取り付けられるようになっている。
【００４２】
次に、図８に示すように、扉４が閉まっている状態において、地震などが発生し、局部変形によって扉枠６が変形すると係合部２０が基台１２側へと移動する。この移動によって、クリアランスＣがなくなる前に、係合部２０の基台２３が基体１３に設けられた突出片１４（又はアーム１０）に接触すると、図５に示すように、固定具１６が孔部３０に形成された固定具受座３０ａの他端側から一端側へと移動する。また、移動した後の固定具１６と固定具受座３０ａとの間には隙間Ｓが出来、当該基台１２にはガタが生じるようになっている。これにより、係合部２０が基台１２などに接触していても摩擦力を低減し、基台１２と係合部２０とを噛合いにくくすることができる。
【００４３】
−第２実施形態−
次に、ドアガードの他の実施形態について図９乃至図１１を用いて説明する。図９は第２実施形態に係るドアガードの取付状態を示す平面図、図１０はドアガードの正面図、図１１は立壁片に形成される突部の他の実施形態を示す正面図である。なお、図１及び図２と同一部分には同一符号を付するものとしその詳細は省略する。
【００４４】
上記第１実施形態は、ドアガード２が外開き用の扉４に取り付けられているに対して、本実施形態は、ドアガード２Ａが内開き用の扉４に取り付けられている点で異なるものである。
【００４５】
図９及び図１０に示すように、本実施形態のドアガード２Ａは、内開き用の扉４に取り付けられるものであって、扉枠６に取り付けられるアーム１０と、扉４に取り付けられ、当該アーム１０に係合する係合部２０ａと、を備えている。当該係合部２０ａは、扉枠６側に突出するように曲折されて形成されたアーム３６を有しており、そのアーム３６の先端には膨出して形成された突起３７を有している。
【００４６】
アーム１０は、基台１２に枢軸１５を介して図９中矢印に示すように回動可能に取り付けられており、当該基台１２は扉枠６の内表面上に止めネジなどの固定具１６によって固定されて取り付けられている。
【００４７】
基台１２は、図９及び図１０に示すように、基体１３と、その基体１３の上下に設けられる突出片１４と、当該基体１３の図９中左端部に立設され、係合部２０ａのアーム３６の先端に形成された突起３７と対向して配置された本願の接触部として機能する立壁片３５と、を備えている。また、基体１３には、固定具１６を挿入するための複数の孔部３０が形成されており、当該孔部３０を介して扉枠６の内表面上に固定具１６によって取り付けられる。
【００４８】
また、アーム１０には、閉扉状態でのアーム１０の回動により前記係合部２０ａの突起３７が挿脱する挿脱部１７と、開扉時に、当該突起３７をアーム１０の一端まで案内する上記挿脱部１７に連なる案内溝１８と、が設けられている。
【００４９】
この挿脱部１７は、アーム１０における二本のレール１０ａ、１０ｂの他端（開口）側に形成されている。具体的には、挿脱部１７は、対向して配置される二本のレール１０ａ、１０ｂの内側部分を曲折させることによって形成されており、アーム１０を起倒させることによって、この挿脱部１７に対し突起３７が出入り可能になっている。
【００５０】
一方、係合部２０ａは、基台３８を備え、当該基台３８上に当該アーム３６が一体的に形成されている。この基台３８は、孔部３９を有しており、当該孔部３９を介して扉枠６に止めネジなどの固定具２４によって固定されて取り付けられる。
【００５１】
このようにして、本実施形態のドアガード２Ａは、閉扉状態において、アーム１０を倒すことにより、突起３７が挿脱部１７に入り込み、その状態で扉４が開かれることで当該アーム３６が案内溝１８に案内され、突起３７がアーム１０の一端と係合することにより当該扉４の開き角度が制限可能になっている。なお、突起３７が案内溝１８内に案内された後は、当該アーム１０の扉４上での倒動作と起立動作は不能になっている。
【００５２】
基台１２に形成されている孔部３０は、短径と長径とを含んで構成される長孔形状であって、アーム１０が扉４の表面に沿って配置された状態において、長径側がアーム１０の軸線方向に沿って形成されている。当該孔部３０の内側には、固定具１６の頭部が接触し、当該固定具１６の取付面となる固定具受座３０ａが形成されている。この孔部３０は、局部変形によって扉枠６が変形し基台１２の立壁片３５に対して係合部２０ａの突起３７が押し当てられた時に固定具１６が取付面を移動し、少なくとも基台１２を係合部２０ａから離れる方向へとずらすことが可能であればよい。そこで、本実施形態では、孔部３０は、その長径側が、扉枠６と扉４との間の水平方向のクリアランスＣ（実質的には８ｍｍ程度）に対応した長さに設定されており、基台１２を長径分ずらすことが可能となっている。これにより、局部変形時において、係合部２０ａとアーム１０とが近接し、アーム１０を起立させても突起３７が案内溝１８に案内されてロック状態が維持されてしまうことを回避すべき基台１２の移動量を確保することができる。
【００５３】
なお、長径側の孔部３０の長さは、局部変形時において、突起３７と案内溝１８の噛合いを回避できれば良いため、扉枠６と扉４との間の水平方向のクリアランスＣから局部変形時に接触する突起３７と立壁片３５の突部３５ａの水平方向のクリアランスＣ１（図１０参照）を減算した長さ分基台１２を移動させる長さを有していればよい。
【００５４】
このように構成されたドアガード２Ａによれば、局部変形によって立壁片３５に係合部２０ａの突起３７が接触した際に基台１２はその長径分だけ移動可能になっており、係合部２０ａとアーム１０とが近接してアーム１０を起立させても突起３７が案内溝１８に案内されてロック状態が維持されてしまうこと等を十分に防止できる。
【００５５】
また、固定具受座３０ａの表面は、第１実施形態と同様に、斜面に形成され、その深さは図１０中左側よりも右側が浅くなっている。これにより、例えば、地震発生などにより図中矢印に示すように所定の方向から押圧力が加わり基台１２の立壁片３５に係合部２０ａの突起３７が接触すると、基台１２は係合部２０ａから離れる方向（図１０中左方向）へと移動し、固定具１６が長径の左側から長径の右側に移動する。このとき、固定具受座３０ａは斜面に形成されているため、固定具１６が移動しやすくなっているとともに、移動した後の固定具１６と固定具受座３０ａとの間には隙間が出来、当該基台１２にはガタが生じるようになっている。これにより、係合部２０ａとアーム１０とが接近し、アーム１０を起立させても突起３７が案内溝１８に案内されてロック状態が維持されてしまうことを防ぐことができる。
【００５６】
なお、固定具受座３０ａを斜面に形成する代わりに、第１実施形態で説明したように、固定具受座３０ａの右端が左端よりも低くなるように、当該固定具受座３０ａ（固定具１６の取付面）に段差を形成しても構わない。これにより、上記同様の効果を得ることが可能となる。
【００５７】
また、図９及び図１０に示すように、基台１２に設けられている立壁片３５は、係合部２０ａのアーム３６の先端に形成された突起３７と対向して配置され、突出片１４間に配置される固定具１６の略左半分周囲を囲むようにして当該突起３７側に突出する突部３５ａ、３５ａを有している。この突部３５ａと、局部変形時においてアーム３６が水平方向に移動した時に該突部３５ａと接触する当該アーム３６の突起３７と、の間の水平方向のクリアランスＣ１は、扉枠６及び扉４間の水平方向のクリアランスＣよりも小さく設定される。これにより、本実施形態では、局部変形時において、クリアランスＣがなくなる前にアーム３６の突起３７を立壁片３５の突部３５ａ、３５ａに接触させて、基台１２を係合部２０ａから離れる方向へと移動させることが可能となっている。従って、本実施形態では、局部変形後において、係合部２０ａとアーム１０とが近接してアーム１０を起立させる際に突起３７が案内溝１８に案内されてロック状態が維持されてしまうことを十分に防止することができる。
【００５８】
なお、上記実施形態では、突出片１４間に配置される固定具１６の取付作業が困難であるため、当該固定具１６を回避するようにして突部３５ａを設けるようにしたが、図１１に示すように、当該固定具１６の取付位置が移動するなどして当該固定具１６の取付作業に支障をきたさないような場合には、当該突部３５ａの形状を略矩形状にしても良い。
【００５９】
−第３実施形態−
次に、ドアガードの他の実施形態について図１２及び図１３を用いて説明する。図１２は第３実施形態に係るドアガードの取付状態を示す平面図、図１３はドアガードの正面図である。なお、図９及び図１０と同一部分には同一符号を付するものとしその説明は省略する。
【００６０】
上記第１及び第２実施形態は、基台１２に長孔形状の孔部３０が形成されているのに対して、本実施形態は、係合部２０ａの基台３８に長孔形状の孔部４２が形成されている点で異なるものである。
【００６１】
図１２及び図１３に示すように、本実施形態のドアガード２Ｂは、内開き用の扉４に取り付けられるものであって、扉枠６に取り付けられるアーム１０と、扉４に取り付けられ、当該アーム１０に係合する係合部２０ａと、を備えている。当該係合部２０ａは、扉枠６側に突出するように曲折されて形成されたアーム３６を有しており、そのアーム３６の先端には膨出して形成された突起３７を有している。
【００６２】
アーム１０は、基台１２に枢軸１５を介して図１２中矢印に示すように回動可能に取り付けられており、当該基台１２は、孔部４０を有しており、当該孔部４０を介して扉枠６の内表面上に止めネジなどの固定具１６によって固定されて取り付けられている。
【００６３】
基台１２は、図１２及び図１３に示すように、基体１３と、その基体１３の上下に設けられる突出片１４と、当該基体１３の図１２中左端部に立設され、係合部２０ａのアーム３６の先端に形成された突起３７と対向して配置された本願の接触部として機能する立壁片３５と、を備えている。また、当該立壁片３５は、第２実施形態と同様に、突起３７と対向して配置され、固定具１６の略左半分周囲を囲むようにして当該突起３７側に突出する突部３５ａ、３５ａを有している。
【００６４】
また、アーム１０には、閉扉状態でのアーム１０の回動により前記係合部２０ａの突起３７が挿脱する挿脱部１７と、開扉時に、当該突起３７をアーム１０の一端まで案内する上記挿脱部１７に連なる案内溝１８と、が設けられている。
【００６５】
この挿脱部１７は、アーム１０における二本のレール１０ａ、１０ｂの他端（開口）側に形成されている。具体的には、挿脱部１７は、対向して配置される二本のレール１０ａ、１０ｂの内側部分を曲折させることによって形成されており、アーム１０を起倒させることによって、この挿脱部１７に対し突起３７が出入り可能になっている。
【００６６】
一方、係合部２０ａは、基台３８を備え、当該基台３８上に当該アーム３６が一体的に形成されている。この基台３８は、孔部４２を有しており、当該孔部４２を介して扉枠６に止めネジなどの固定具２４によって固定されて取り付けられる。
【００６７】
このようにして、本実施形態のドアガード２Ｂは、閉扉状態において、アーム１０を倒すことにより、突起３７が挿脱部１７に入り込み、その状態で扉４が開かれることで当該アーム３６が案内溝１８に案内され、突起３７がアーム１０の先端と係合することにより当該扉４の開き角度が制限可能になっている。なお、突起３７が案内溝１８内に案内された後は、当該アーム１０の扉４上での倒動作と起立動作は不能になっている。
【００６８】
係合部２０ａの基台３８に形成されている孔部４２は、短径と長径とを含んで構成される長孔形状であって、アーム１０が扉４の表面に沿って配置された状態において、長径側がアーム１０の軸線方向に沿って形成されている。当該孔部４２の内側には、固定具２４の頭部が接触し、当該固定具２４の取付面となる固定具受座４２ａが形成されている。この孔部４２は、局部変形によって扉枠６が変形し基台１２に設けられた立壁片３５の突部３５ａ、３５ａに対して係合部２０ａの突起３７が押し当てられた時に固定具２４が取付面を移動し、少なくとも係合部２０ａの基台３８を基台１２から離れる方向へとずらすことが可能であればよい。そこで、本実施形態では、孔部４２は、その長径側が、扉枠６と扉４との間の水平方向のクリアランスＣ（実質的には８ｍｍ程度）に対応した長さに設定されており、係合部２０ａの基台３８を長径分ずらすことが可能となっている。これにより、局部変形時において、係合部２０ａとアーム１０とが近接し、アーム１０を起立させても突起３７が案内溝１８に案内されてロック状態が維持されてしまうことを回避すべき係合部２０ａの基台３８の移動量を確保することができる。
【００６９】
なお、長径側の孔部４２の長さは、局部変形時において、突起３７と案内溝１８の噛合いを回避できれば良いため、扉枠６と扉４との間の水平方向のクリアランスＣから局部変形時に接触する突起３７と立壁片３５の突部３５ａの水平方向のクリアランスＣ１（図１３参照）を減算した長さ分係合部２０ａを移動させる長さを有していればよい。
【００７０】
このように構成されたドアガード２Ｂによれば、局部変形によって立壁片３５の突部３５ａ、３５ａに係合部２０ａの突起３７が接触した際に係合部２０ａの基台３８はその長径分だけ移動可能になっており、係合部２０ａとアーム１０とが近接してアーム１０を起立させても突起３７が案内溝１８に案内されてロック状態が維持されてしまうこと等を十分に防止できる。
【００７１】
また、固定具受座４２ａの表面は、第１実施形態と同様に、斜面に形成され、その深さが図１３中右側よりも左側が浅くなっている。これにより、例えば、地震発生などにより図中矢印に示すように所定の方向から押圧力が加わり基台１２に設けられた立壁片３５の突部３５ａ、３５ａに係合部２０ａの突起３７が接触すると、係合部２０ａは、基台１２から離れる方向（図１３中右方向）へと移動し、固定具２４が長径の右側から左側に移動する。このとき、固定具受座４２ａは斜面に形成されているため、固定具２４が移動しやすくなっているとともに、移動した後の固定具２４と固定具受座４２ａとの間には隙間が出来、当該基台１２にはガタが生じるようになっている。これにより、係合部２０ａとアーム１０とが接近し、アーム１０を起立させても突起３７が案内溝１８に案内されてロック状態が維持されてしまうことを防ぐことができる。
【００７２】
なお、固定具受座４２ａを斜面に形成する代わりに、第１実施形態で説明したように、固定具受座４２ａの左端が右端よりも低くなるように、当該固定具受座４２ａ（固定具３９の取付面）に段差を形成しても構わない。これにより、上記同様の効果を得ることが可能となる。
【００７３】
また、図１２及び図１３に示すように、基台１２に設けられている立壁片３５は、係合部２０ａのアーム３６の先端に形成された突起３７と対向して配置され、突出片１４間に配置される固定具１６の略左半分周囲を囲むようにして当該突起３７側に突出する突部３５ａ、３５ａを有している。この突部３５ａと、局部変形時においてアーム３６が水平方向に移動した時に該突部３５ａと接触する当該アーム３６の突起３７と、の間の水平方向のクリアランスＣ１は、扉枠６及び扉４間の水平方向のクリアランスＣよりも小さく設定される。これにより、本実施形態では、局部変形時において、クリアランスＣがなくなる前にアーム３６の突起３７を立壁片３５の突部３５ａ、３５ａに接触させて、係合部２０ａを基台１２から離れる方向へと移動させることが可能となっている。従って、本実施形態では、局部変形後において、係合部２０ａとアーム１０とが近接してアーム１０を起立させる際に突起３７が案内溝１８に案内されてロック状態が維持されてしまうことを十分に防止することができる。
【００７４】
また、第２実施形態と同様に、立壁片３５に設けられる突部３５ａは、固定具１６の取付位置が移動するなどして当該固定具１６の扉枠６への取付作業に支障をきたさないような場合には、当該突部３５ａの形状を略矩形状にできる。
【００７５】
なお、本実施形態は一形態であって、この形態に限定されるものではなく、例えば、本実施形態では、孔部３０、４２の内側に固定具の取付面となる固定具受座３０ａ、４２ａを形成するようになっているが、単に長孔を形成し、当該長孔を形成している基台１３、３８の表面に段差や斜面を形成するようにしても構わない。
【図面の簡単な説明】
【００７６】
【図１】ドアガードの取付状態を示す平面図である。
【図２】ドアガードの正面図である。
【図３】アームの構成図である。
【図４】固定具が取り付けられた状態を示す基台の断面図である。
【図５】固定具移動時の状態を示す基台の断面図である。
【図６】他の実施形態における固定具が取り付けられた状態を示す基台の断面図である。
【図７】他の実施形態における固定具移動時の状態を示す基台の断面図である。
【図８】局部変形時の係合部とアームとの状態を示す一例である。
【図９】第２実施形態に係るドアガードの取付状態を示す平面図である。
【図１０】ドアガードの平面図である。
【図１１】立壁片に形成される突部の他の実施形態を示す正面図である。
【図１２】第３実施形態に係るドアガードの取付状態を示す平面図である。
【図１３】ドアガードの平面である。
【符号の説明】
【００７７】
２  ドアガード
４  扉
６  扉枠
１２  基台
１６  固定具
２０  係合部
２３ａ、３０  孔部
【図１】
0004914871.tif 000002
【図２】
0004914871.tif 000003
【図３】
0004914871.tif 000004
【図４】
0004914871.tif 000005
【図５】
0004914871.tif 000006
【図６】
0004914871.tif 000007
【図７】
0004914871.tif 000008
【図８】
0004914871.tif 000009
【図９】
0004914871.tif 000010
【図１０】
0004914871.tif 000011
【図１１】
0004914871.tif 000012
【図１２】
0004914871.tif 000013
【図１３】
0004914871.tif 000014